(57)【要約】【課題】ＭＭＥからＰＣＲＦへＵＬＩレポートを送信するタイミングを設定すること。【解決手段】通信システムは、セルを識別する情報と、端末装置を識別する情報と、セルで使用できる周波数帯域幅の閾値とを対応付けたプロファイルを格納する記憶部と、端末装置がセルに在圏したときに、セルで使用できる周波数帯域幅が、プロファイルに含まれるセルを識別情報に対応する閾値未満である場合に端末装置の位置情報を端末装置のポリシーを管理するポリシー管理装置へ送信し、該閾値以上である場合に端末装置の位置情報を送信しない通信部とを備える。【選択図】図１
2017092542.tif 000002
【特許請求の範囲】
【請求項１】
セルを識別する情報と、端末装置を識別する情報と、前記セルで使用できる周波数帯域幅の閾値とを対応付けたプロファイルを格納する記憶部と、
端末装置がセルに在圏したときに、該セルで使用できる周波数帯域幅が、前記プロファイルに含まれる該セルを識別する情報に対応する閾値未満である場合に該端末装置の位置情報を端末装置のポリシーを管理するポリシー管理装置へ送信し、該閾値以上である場合に該端末装置の位置情報を送信しない通信部と
を備える通信システム。
【請求項２】
端末装置の移動管理を行う移動管理装置であって、
セルを識別する情報と、端末装置を識別する情報と、前記セルで使用できる周波数帯域幅の閾値とを対応付けたプロファイルを格納する記憶部と、
端末装置がセルに在圏したときに、該セルで使用できる周波数帯域幅が、前記プロファイルに含まれる該セルを識別する情報に対応する閾値未満である場合に該端末装置の位置情報を端末装置のポリシーを管理するポリシー管理装置へ送信し、該閾値以上である場合に該端末装置の位置情報を送信しない通信部と
を備える移動管理装置。
【請求項３】
前記通信部は、前記ポリシー管理装置によって送信され、且つ位置情報を送信する端末装置を指定する位置情報要求を受信し、前記記憶部に格納されるプロファイルに含まれる周波数帯域幅の閾値を、前記位置情報要求に付帯される周波数帯域幅の閾値に基づいて更新する、請求項２に記載の移動管理装置。
【請求項４】
前記記憶部は、セルで使用できる周波数帯域幅が前記閾値以上であるか否かを示すフラグを格納し、
前記通信部は、無線アクセスネットワークの輻輳状況を管理する輻輳管理装置によって送信される輻輳状況を表す情報を受信し、該輻輳状況を表す情報に基づいて、前記記憶部に格納されるプロファイルのフラグを設定する、請求項２又は請求項３に記載の移動管理装置。
【請求項５】
端末装置のポリシー管理を行うポリシー管理装置であって、
所定のタイミングで、位置情報を送信する端末装置を指定する位置情報要求を作成する制御部と、
該位置情報要求を、端末装置の移動管理を行う移動管理装置へ送信する通信部と
を備え、
前記制御部は、セルを識別する情報と、端末装置を識別する情報と、前記セルで使用できる周波数帯域幅の閾値とを付帯した位置情報要求を作成する、ポリシー管理装置。
【請求項６】
前記制御部は、前記端末装置が前記セルに接続したとき、前記端末装置へのサービスを変更するとき、および前記端末装置へのトラヒックに実行される処理が変更されるときのいずれかの場合に前記位置情報要求を作成する、請求項５に記載のポリシー管理装置。
【請求項７】
端末装置の移動管理を行う移動管理装置によって実行される移動管理方法であって、
セルを識別する情報と、端末装置を識別する情報と、前記セルで使用できる周波数帯域幅の閾値とを対応付けたプロファイルに基づいて、端末装置がセルに在圏したときに、該セルで使用できる周波数帯域幅が、前記プロファイルに含まれる該セルを識別する情報に対応する閾値未満である場合に該端末装置の位置情報を端末装置のポリシーを管理するポリシー管理装置へ送信する、移動管理方法。
【請求項８】
端末装置のポリシー管理を行うポリシー管理装置によって実行されるポリシー管理方法であって、
所定のタイミングで、位置情報を送信する端末装置を指定する位置情報要求を作成し、
該位置情報要求を、端末装置の移動管理を行う移動管理装置へ送信し、
前記位置情報要求を作成する際に、セルを識別する情報と、端末装置を識別する情報と、前記セルで使用できる周波数帯域幅の閾値とを付帯した位置情報要求を作成する、ポリシー管理方法。
【請求項９】
端末装置の移動管理を行う移動管理装置に、
セルを識別する情報と、端末装置を識別する情報と、前記セルで使用できる周波数帯域幅の閾値とを対応付けたプロファイルに基づいて、端末装置がセルに在圏したときに、該セルで使用できる周波数帯域幅が、前記プロファイルに含まれる該セルを識別する情報に対応する閾値未満である場合に該端末装置の位置情報を端末装置のポリシーを管理するポリシー管理装置へ送信させる、プログラム。
【請求項１０】
端末装置のポリシー管理を行うポリシー管理装置に、
所定のタイミングで、位置情報を送信する端末装置を指定する位置情報要求を作成させ、
該位置情報要求を、端末装置の移動管理を行う移動管理装置へ送信させ、
前記位置情報要求を作成する際に、セルを識別する情報と、端末装置を識別する情報と、前記セルで使用できる周波数帯域幅の閾値とを付帯した位置情報要求を作成させる、プログラム。
【発明の詳細な説明】
【技術分野】
【０００１】
本発明は、通信システム、移動管理装置、ポリシー管理装置、移動管理方法、ポリシー管理方法、およびプログラムに関する。
【背景技術】
【０００２】
エボルブドパケットコア(Evolved Packet Core: EPC)は、モビリティマネジメントエンティティ(Mobility Management Entity: MME)、サービングゲートウェイ(Serving Gateway: SGW)、パケットデータネットワークゲートウェイ（Packet Data Network Gateway: PGW)、ポリシーアンドチャージングルールファンクション(Policy and Charging Rules Function: PCRF)から構成される。ＥＰＣでは、主にユーザ端末(User Equipment: UE)の移動管理などが行われる。ＵＥがセル(cell)へ接続すると、ＭＭＥは、ＰＣＲＦへ該ＵＥが接続したセルを表す情報を付帯したユーザロケーションインフォメーション(User Location Information: ULI)レポートを通知する。
【０００３】
ＭＭＥは、基地局(eNodeB: eNB)やセルを識別する情報と、インターナショナルモバイルサブスクライバーアイデンティティ(International Mobile Subscriber Identity: IMSI)などのＵＥを識別する情報をマッピングしたプロファイルを保持する。
【０００４】
ＭＭＥは、ＵＥがセルに接続したとき、該ＵＥが接続したセルを識別する情報がプロファイルに含まれ、且つ該プロファイルにおいて該セルを識別する情報に対応するＩＭＳＩと、接続したＵＥを識別する情報とが一致する場合に、ＵＬＩレポートをポリシーアンドチャージングルールファンクション(Policy and Charging Rules Function: PCRF)へ送信する（例えば、非特許文献１参照）。
【０００５】
また、移動体通信網では、ランコンジェクションアウェアネスファンクション(RAN Congestion Awareness Function: RCAF)によって、無線アクセスネットワーク(Radio Access Network: RAN)の輻輳状況が取得される。ＲＣＡＦは、ＭＭＥとＰＣＲＦへ、その輻輳状況を通知する（例えば、非特許文献２参照）。
【０００６】
ユーザ端末がセル間を頻繁に移動する環境では、ＭＭＥからＰＣＲＦへ送信されるＵＬＩレポートの数が増加し、ＰＣＲＦの負荷が増大する。
【先行技術文献】
【非特許文献】
【０００７】
【非特許文献１】3GPP(3rd Generation Partnership Project), TS23.401, ”General Packet Radio Service(GPRS) enhancements for Evolved Universal Terrestrial Radio Access Network (E-UTRAN) access”, V13.4.0(2015-09)
【非特許文献２】3GPP(3rd Generation Partnership Project), TS23.203, “Policy and Charging Control Architecture”, V13.5.1(2015-09)
【発明の概要】
【発明が解決しようとする課題】
【０００８】
今後、通信サービスに付加価値を与えるためにＵＥが接続する位置やＲＡＮの状況に応じて、インターネットと移動体通信網との間に存在するＧｉ−ＬＡＮで、エンコーディング変換、テキスト圧縮、トラヒックシェーピング、広告挿入などを行うサービスイネイブラー(Service Enabler: SE)にトラヒックを処理させることが想定されている。
【０００９】
ＳＥにトラヒックを処理させている状況では、ＵＥが接続しているＲＡＮの輻輳状況に応じて、ＳＥが変更される。ＳＥが変更される場合、ＰＣＲＦは、Ｇｉ−ＬＡＮに接続されているトラヒックステアリングファンクション(Traffic Steering Function: TSF)にＳＥの変更を通知する。ＳＥの変更に応じてＭＭＥがＵＬＩレポートを送信するためには、ＭＭＥがＵＬＩレポートを送信するタイミングをオペレータが手動で設定する必要がある。
【００１０】
本発明は、上記問題を解決すべくなされたもので、その目的は、ＭＭＥからＰＣＲＦへＵＬＩレポートを送信するタイミングを設定することを目的とする。
【課題を解決するための手段】
【００１１】
（１）本発明の一態様は、セルを識別する情報と、端末装置を識別する情報と、前記セルで使用できる周波数帯域幅の閾値とを対応付けたプロファイルを格納する記憶部と、端末装置がセルに在圏したときに、該セルで使用できる周波数帯域幅が、前記プロファイルに含まれる該セルを識別する情報に対応する閾値未満である場合に該端末装置の位置情報を端末装置のポリシーを管理するポリシー管理装置へ送信し、該閾値以上である場合に該端末装置の位置情報を送信しない通信部とを備える通信システムである。
【００１２】
（２）本発明の一態様は、端末装置の移動管理を行う移動管理装置であって、セルを識別する情報と、端末装置を識別する情報と、前記セルで使用できる周波数帯域幅の閾値とを対応付けたプロファイルを格納する記憶部と、端末装置がセルに在圏したときに、該セルで使用できる周波数帯域幅が、前記プロファイルに含まれる該セルを識別する情報に対応する閾値未満である場合に該端末装置の位置情報を端末装置のポリシーを管理するポリシー管理装置へ送信し、該閾値以上である場合に該端末装置の位置情報を送信しない通信部とを備える移動管理装置である。
（３）本発明の一態様は、上記（２）に記載の移動管理装置において、前記通信部は、前記ポリシー管理装置によって送信され、且つ位置情報を送信する端末装置を指定する位置情報要求を受信し、前記記憶部に格納されるプロファイルに含まれる周波数帯域幅の閾値を、前記位置情報要求に付帯される周波数帯域幅の閾値に基づいて更新する、移動管理装置である。
（４）本発明の一態様は、上記（２）又は（３）に記載の移動管理装置において、前記記憶部は、セルで使用できる周波数帯域幅が前記閾値以上であるか否かを示すフラグを格納し、前記通信部は、無線アクセスネットワークの輻輳状況を管理する輻輳管理装置によって送信される輻輳状況を表す情報を受信し、該輻輳状況を表す情報に基づいて、前記記憶部に格納されるプロファイルのフラグを設定する、移動管理装置である。
【００１３】
（５）本発明の一態様は、端末装置のポリシー管理を行うポリシー管理装置であって、所定のタイミングで、位置情報を送信する端末装置を指定する位置情報要求を作成する制御部と、該位置情報要求を、端末装置の移動管理を行う移動管理装置へ送信する通信部とを備え、前記制御部は、セルを識別する情報と、端末装置を識別する情報と、前記セルで使用できる周波数帯域幅の閾値とを付帯した位置情報要求を作成する、ポリシー管理装置である。
（６）本発明の一態様は、上記（５）に記載のポリシー管理装置において、前記制御部は、前記端末装置が前記セルに接続したとき、前記端末装置へのサービスを変更するとき、および前記端末装置へのトラヒックに実行される処理が変更されるときのいずれかの場合に前記位置情報要求を作成する、ポリシー管理装置である。
【００１４】
（７）本発明の一態様は、端末装置の移動管理を行う移動管理装置によって実行される移動管理方法であって、セルを識別する情報と、端末装置を識別する情報と、前記セルで使用できる周波数帯域幅の閾値とを対応付けたプロファイルに基づいて、端末装置がセルに在圏したときに、該セルで使用できる周波数帯域幅が、前記プロファイルに含まれる該セルを識別する情報に対応する閾値未満である場合に該端末装置の位置情報を端末装置のポリシーを管理するポリシー管理装置へ送信する、移動管理方法である。
【００１５】
（８）本発明の一態様は、端末装置のポリシー管理を行うポリシー管理装置によって実行されるポリシー管理方法であって、所定のタイミングで、位置情報を送信する端末装置を指定する位置情報要求を作成し、該位置情報要求を、端末装置の移動管理を行う移動管理装置へ送信し、前記位置情報要求を作成する際に、セルを識別する情報と、端末装置を識別する情報と、前記セルで使用できる周波数帯域幅の閾値とを付帯した位置情報要求を作成する、ポリシー管理方法である。
【００１６】
（９）本発明の一態様は、端末装置の移動管理を行う移動管理装置に、セルを識別する情報と、端末装置を識別する情報と、前記セルで使用できる周波数帯域幅の閾値とを対応付けたプロファイルに基づいて、端末装置がセルに在圏したときに、該セルで使用できる周波数帯域幅が、前記プロファイルに含まれる該セルを識別する情報に対応する閾値未満である場合に該端末装置の位置情報を端末装置のポリシーを管理するポリシー管理装置へ送信させる、プログラムである。
【００１７】
（１０）本発明の一態様は、端末装置のポリシー管理を行うポリシー管理装置に、所定のタイミングで、位置情報を送信する端末装置を指定する位置情報要求を作成させ、該位置情報要求を、端末装置の移動管理を行う移動管理装置へ送信させ、前記位置情報要求を作成する際に、セルを識別する情報と、端末装置を識別する情報と、前記セルで使用できる周波数帯域幅の閾値とを付帯した位置情報要求を作成させる、プログラムである。
【発明の効果】
【００１８】
本発明によれば、ＭＭＥからＰＣＲＦへＵＬＩレポートを送信するタイミングを設定することができる。
【図面の簡単な説明】
【００１９】
【図１】一実施形態に係る通信システムの一例を示す図である。
【図２】一実施形態に係る通信システムの概略的な機能構成を示す図である。
【図３】一実施形態に係るＭＭＥの一例を示す図である。
【図４】送信プロファイルの一例を示す図である。
【図５】一実施形態に係るＰＣＲＦの一例を示す図である。
【図６】送信プロファイルを更新する処理（その１）を示すシーケンスチャートである。
【図７】送信プロファイルを更新する処理（その２）を示すシーケンスチャートである。
【図８】送信プロファイルを更新する処理（その３）を示すシーケンスチャートである。
【図９】送信プロファイルを更新する処理（その４）を示すシーケンスチャートである。
【図１０】ＵＬＩを送信する処理を示すシーケンスチャートである。
【発明を実施するための形態】
【００２０】
次に、本発明を実施するための形態を、図面を参照しつつ説明する。以下で説明する実施形態は一例に過ぎず、本発明が適用される実施形態は、以下の実施形態に限られない。
なお、実施形態を説明するための全図において、同一の機能を有するものは同一符号を用い、繰り返しの説明は省略する。
【００２１】
図１は、本実施形態に係る通信システムを示す。通信システムの一例は、移動体通信網であり、ユーザ端末(User Equipment: UE)の移動管理を主に行うエボルブドパケットコア(Evolved Packet Core: EPC)網である。ＥＰＣ網では、通信サービスに付加価値を与えるためにＵＥが接続する位置や無線アクセスネットワーク(Radio Access Network: RAN)の状況に応じて、Ｇｉ−ＬＡＮでエンコーディング変換、テキスト圧縮、シェーピング、広告付加などの所定の処理を行うサービスイネイブラーにトラフィク処理をさせる。
【００２２】
移動体通信網は、モビリティマネジメントエンティティ(Mobility Management Entity: MME)１００と、サービングゲートウェイ(Serving Gateway: SGW)２００と、パケットデータネットワークゲートウェイ（Packet Data Network Gateway: PGW)３００と、ポリシーアンドチャージングルールファンクション(Policy and Charging Rules Function: PCRF)４００と、ランコンジェクションアウェアネスファンクション(RAN Congestion Awareness Function: RCAF)５００とを備える。さらに、ＰＧＷ３００には、Ｇｉ−ＬＡＮを介してサービスイネイブラー(Service Enabler)６００が接続され、サービスイネイブラー６００は、インターネット(Internet)７００と接続される。
【００２３】
本実施形態では、無線通信システムの一例として、ＬＴＥ（Long Term Evolution）と呼ばれる無線通信システム（ＬＴＥシステム）が適用される場合について説明する。
【００２４】
本実施形態に係る移動体通信網では、ＰＣＲＦ４００は、セルを識別する情報と、ＵＥを識別する情報と、セルで使用できる周波数帯域幅の閾値を示す情報とを付帯したＵＬＩ要求(ULI Request)をＭＭＥ１００へ通知する。ＰＣＲＦ４００によって送信されたＵＬＩ要求は、ＰＧＷ３００、ＳＧＷ２００へ転送され、ＭＭＥ１００に受信される。
【００２５】
ＭＭＥ１００は、ＰＣＲＦ４００によって送信されたＵＬＩ要求を受信すると、該ＵＬＩ要求に付帯されているセルを識別する情報と、ＵＥを識別する情報と、セルで使用できる周波数帯域幅の閾値を示す情報とを紐付けて、ＵＬＩを送信するためのプロファイル（以下、「送信プロファイル」という）へ格納する。
【００２６】
ＭＭＥ１００は、セルにＵＥ９００が在圏したときに、該セルを識別する情報が送信プロファイルに含まれる場合、該送信プロファイルにおいて該セルを識別する情報に紐付けられたＵＥを識別する情報と、在圏したＵＥ９００のＵＥを識別する情報とが一致するか否かを判定する。
【００２７】
さらに、ＭＭＥ１００は、一致すると判定した場合にＵＥが在圏したセルで使用できる周波数帯域幅が該セルを識別する情報に紐付けられた周波数帯域幅の閾値以上であるか否かを判定し、一致しないと判定した場合には何もしない。ＭＭＥ１００は、閾値未満と判定した場合にＰＣＲＦ４００に在圏したＵＥ９００の位置情報（ＵＬＩレポート）を通知し、閾値以上と判定した場合にＰＣＲＦ４００に在圏したＵＥ９００の位置情報（ＵＬＩレポート）を通知しない。
【００２８】
つまり、ＭＭＥ１００は、セルにＵＥ９００が在圏したときに、送信プロファイルに該セルを識別する情報と、該ＵＥ９００を識別する情報との組み合わせが含まれる場合でも、該セルで使用できる周波数帯域幅が送信プロファイルにおいて該ＵＥ９００に紐付けられた周波数帯域幅の閾値未満である場合には、ＰＣＲＦ４００に該ＵＥ９００の位置情報を通知しない。
【００２９】
これによって、ＭＭＥ１００からＰＣＲＦ４００へ送信されるＵＬＩの数を減少させることができるため、ＰＣＲＦがＭＭＥ１００から送信されるＵＬＩを受信することによって生じる負荷を減少させることができる。
【００３０】
図２は、本実施形態に係る通信システムの概略図を示す。本実施形態に係る通信システムは、移動管理サーバ１５０と、ＳＧＷ２００と、ＰＧＷ３００と、ポリシー管理サーバ４５０とを含む。さらに、図２には、基地局(eNodeB: eNB)８５０と、ＵＥ９００とが示される。
【００３１】
移動管理サーバ１５０は、送信プロファイル設定機能１６２と、送信制御機能１６４とを備える。ポリシー管理サーバ４５０は、ＵＬＩ要求作成機能４６２と、ＵＬＩ処理機能４６４とを備える。
【００３２】
＜ＭＭＥ１００＞
図３は、本実施形態に係るＭＭＥ１００の概略的な構成を示すブロック図である。ＭＭＥ１００の一例は、図２に示される通信システムの概略において、移動管理サーバ１５０に対応する。
【００３３】
ＭＭＥ１００は、通信部１０２と、記憶部１０４と、制御部１１０とを備える。通信部１０２は、通信モジュールによって構成され、外部の装置との間で無線または有線で通信する。本実施形態では、通信部１０２は、有線または無線により、ＲＣＡＦ５００、ＳＧＷ２００、およびeNB８５０との間で信号を送受信する。記憶部１０４は、各種のデータを格納する。具体的には、記憶部１０４は、制御部１１０によって実行される通信制御プログラム１０６、および送信プロファイル１０８を格納する。
【００３４】
制御部１１０は、ＣＰＵなどの演算処理装置によって構成され、記憶部１０４に格納された通信制御プログラム１０６を実行することによって、送信プロファイル設定部１１２と、送信制御部１１４として機能する。送信プロファイル設定部１１２は図２の送信プロファイル設定機能１６２に対応し、送信制御部１１４は図２の送信制御機能１６４に対応する。
【００３５】
送信プロファイル設定部１１２は、ＰＣＲＦ４００によって通知されるＵＬＩ要求が通信部１０２によって受信されると、該ＵＬＩ要求に付帯される、セルを識別する情報と、ＵＥを識別する情報と、セルで使用できる周波数帯域幅の閾値を示す情報とを紐付けて送信プロファイル１０８に設定する。
【００３６】
＜送信プロファイル１０８＞
図４は、ＭＭＥ１００の記憶部１０４に格納される送信プロファイル１０８の一例を示す。
【００３７】
送信プロファイル１０８には、セルを識別する情報、ＵＥを識別する情報、セルで使用できる周波数帯域幅の閾値を示す情報、およびフラグが含まれる。
【００３８】
セルを識別する情報は、ｅＮＢ８５０によってカバーされる１または複数のセルの各々を識別する情報である。また、セルを識別する情報の代わりに、またはセルを識別する情報とともに、ＭＭＥ１００が管理する１または複数のｅＮＢを識別する情報を用いるようにしてもよい。セルを識別する情報の一例は、セルＩＤ(cell identification)である。
【００３９】
ＵＥを識別する情報の一例は、インターナショナルモバイルサブスクライバーアイデンティティ(International Mobile Subscriber Identity: IMSI)である。
【００４０】
セルで使用できる周波数帯域幅の閾値は、セルにおいて、ＵＥとの間で使用されていない周波数帯域幅の閾値を示し、ＭＭＥ１００がＰＣＲＦ４００へＵＬＩを送信するか否かを判定する際に使用される。
【００４１】
フラグは、ＭＭＥ１００からＰＣＲＦ４００にＵＬＩを送信するか否かの判定結果を示す。具体的には、ＭＭＥ１００は、フラグがオンである場合にはＰＣＲＦ４００へＵＬＩを送信し、フラグがオフである場合にはＰＣＲＦ４００へＵＬＩを送信しない。
【００４２】
図３に戻り説明を続ける。
ＲＣＲＦ５００からＭＭＥ１００へＲＡＮによって使用されていない周波数帯域幅などの輻輳状況を表す情報が通知された場合には、該輻輳状況を表す情報が、通信部１０２から制御部１１０の送信プロファイル設定部１１２に入力される。
【００４３】
送信プロファイル設定部１１２は、通信部１０２によって入力される輻輳状況を表す情報に基づいて、記憶部１０４に格納された送信プロファイル１０８のフラグを設定する。具体的には、送信プロファイル設定部１１２は、輻輳状況を表す情報によって示されるセルで使用できる周波数帯域幅が周波数帯域幅の閾値以上である場合にはフラグをオフに設定し、輻輳状況を表す情報によって示されるセルで使用できる周波数帯域幅が周波数帯域幅の閾値未満である場合にはフラグをオンに設定する。
【００４４】
送信制御部１１４は、ＵＥ９００がセルに在圏したときに、送信プロファイル１０８を参照し、該セルを識別する情報が含まれる場合に、該送信プロファイルにおいて該セルを識別する情報に紐付けられたＵＥを識別する情報と、在圏したＵＥ９００のＵＥを識別する情報とが一致するか否かを判定する。ここで、「ＵＥ９００がセルに在圏したとき」とは、ＵＥ９００がセルに接続したとき、ＵＥ９００が該セルに他のセルから移動した場合を含む。
【００４５】
送信制御部１１４は、送信プロファイル１０８において、ＵＥ９００が在圏したセルを識別する情報に紐付けられたＵＥを識別する情報と、在圏したＵＥ９００のＵＥを識別する情報とが一致し、且つＵＥ９００が在圏したセルを識別する情報に紐付けられたフラグがオンである場合に、該ＵＥ９００のＵＬＩを通信部１０２から、ＰＣＲＦ４００へ送信する。一方、送信制御部１１４は、送信プロファイル１０８に、該セルを識別する情報と、該ＵＥ９００を識別する情報との組み合わせが含まれない場合、または含まれてもその組み合わせに紐付けられたフラグがオフである場合には、該ＵＥ９００のＵＬＩを通信部１０２から、ＰＣＲＦ４００へ送信しない。
【００４６】
つまり、ＵＥ９００が在圏したセルを識別する情報と、ＵＥ９００を識別する情報との組み合わせが送信プロファイル１０８に含まれていても、その組み合わせに紐付けられたフラグがオフである場合、換言すれば該セルで使用できる周波数帯域幅が周波数帯域幅の閾値以上である場合にはＵＬＩがＰＣＲＦ４００へ送信されない。
【００４７】
該セルで使用できる周波数帯域幅が周波数帯域幅の閾値未満である場合にＵＬＩがＰＣＲＦ４００へ送信されるため、ＭＭＥ１００がＰＣＲＦ４００へ送信するＵＬＩの数を減少させることができる。これによって、ＰＣＲＦ４００が、ＵＬＩを受信することによって生じる処理負荷を低減できる。
【００４８】
図１に戻り説明を続ける。ＳＧＷ２００は、ユーザーデータを扱うゲートウェイであり、ＭＭＥ１００によって送信されたＵＬＩをＰＧＷ３００へ転送する。また、ＳＧＷ２００は、ＰＧＷ３００によって転送されるＵＬＩ要求をＭＭＥ１００へ転送する。
【００４９】
ＰＧＷ３００は、外部のインターネットや企業のイントラネットなどに接続するためのゲートウェイであり、ＳＧＷ２００によって転送されたＵＬＩをＰＣＲＦ４００へ送信する。また、ＰＧＷ３００は、ＰＣＲＦ４００によって送信されたＵＬＩ要求をＳＧＷ２００へ転送する。
【００５０】
ＲＣＡＦ５００は、定期または不定期に、ＲＡＮの輻輳状況を表す情報をＭＭＥ１００およびＰＣＲＦ４００へ通知する。輻輳状況を表す情報の一例は、ランユーザプレーンコンジェスチョンインフォメーション(RAN User Plane Congestion Information)である。
【００５１】
＜ＰＣＲＦ４００＞
図５は、本実施形態に係るＰＣＲＦ４００の概略的な構成を示すブロック図である。ＰＣＲＦ４００の一例は、図２に示される通信システムの概略において、ポリシー管理サーバ４５０に対応する。
【００５２】
ＰＣＲＦ４００は、通信部４０２と、記憶部４０４と、制御部４１０とを備える。通信部４０２は、通信モジュールによって構成され、外部の装置との間で無線または有線で通信する。本実施形態では、通信部４０２は、有線または無線により、ＰＧＷ３００、およびＲＣＡＦ５００との間で信号を送受信する。記憶部４０４は、各種のデータを格納する。具体的には、記憶部４０４は、制御部４１０によって実行される通信制御プログラム４０６を格納する。
【００５３】
制御部４１０は、ＣＰＵなどの演算処理装置によって構成され、記憶部４０４に格納された通信制御プログラム４０６を実行することによって、ＵＬＩ要求作成部４１２と、ＵＬＩ処理部４１４として機能する。ＵＬＩ要求作成部４１２は図２のＵＬＩ要求作成機能４６２に対応し、ＵＬＩ処理部４１４は図２のＵＬＩ処理機能４６４に対応する。
【００５４】
ＵＬＩ要求作成部４１２は、所定のタイミングでＵＬＩ要求を作成し、通信部４０２から送信する。通信部４０２から送信されたＵＬＩ要求は、ＭＭＥ１００に受信される。具体的には、ＵＬＩ要求作成部４１２は、ＵＥ９００がｅＮＢ８５０に接続(attach)したときに、ＵＬＩ要求を作成する。また、ＵＬＩ要求作成部４１２は、ＵＥ９００がサービスオーダ(Service Order: SO)を変更したときに、ＵＬＩ要求を作成するようにしてもよい。ここで、サービスオーダとは、ＵＥ９００のトラヒックをＧｉ−ＬＡＮで処理するサービスイネイブラーに対する契約の種類を示す。また、ＵＬＩ要求作成部４１２は、ＲＣＡＦ５００によって通知されるＲＡＮの輻輳状況を表す情報に基づいてＰＣＲＦ４００がサービスイネイブラーを変更するときに、ＵＬＩ要求を作成するようにしてもよい。
【００５５】
ＵＬＩ処理部４１４は、通信部４０２から入力されるＵＬＩレポートに従って、所定の処理を行う。
なお、ＭＭＥ１００の送信プロファイル設定部１１２は、ＲＣＡＦ５００によって通知されるＲＡＮの輻輳状況を表す情報に基づいて、定期的に送信プロファイル１０８を変更するようにしてもよい。
【００５６】
＜通信システムの動作＞
本実施形態に係る通信システムの動作を説明する。
＜送信プロファイル１０８を更新する処理（その１）＞
図６は、送信プロファイルを更新する処理（その１）を示す。この例では、ＵＥ９００がアタッチしたタイミングで、ＭＭＥ１００が送信プロファイル１０８を更新する処理を示す。
【００５７】
ステップＳ６０２では、ＵＥ９００がｅＮＢ８５０へアタッチしたことによって、ＰＧＷ３００からＰＣＲＦ４００へＩＰ−ＣＡＮセッション確立要求(session establishment request)が送信される。
【００５８】
ステップＳ６０４では、ＰＣＲＦ４００のＵＬＩ要求作成部４１２は、ＰＧＷ３００によって転送されたＩＰ−ＣＡＮセション確立要求に付帯されるセルを識別する情報と、ＵＥ９００を識別する情報に基づいて、該ＵＥ９００が送信プロファイル１０８に設定されているものであるか否かを判定する。具体的には、ＵＬＩ要求作成部４１２は、ＩＰ−ＣＡＮセション確立要求に付帯されるセルを識別する情報が送信プロファイル１０８に含まれ、且つ該送信プロファイル１０８において該セルを識別する情報に紐付けられたＵＥを識別する情報と、ＩＰ−ＣＡＮセション確立要求に付帯されるＵＥ９００を識別する情報とが一致するか否かを判定する。
【００５９】
ＩＰ−ＣＡＮセション確立要求に付帯されるセルを識別する情報、およびＵＥ９００を識別する情報の組み合わせが送信プロファイル１０８に含まれる場合には、ＵＬＩ要求作成部４１２は、該ＵＥ９００が送信プロファイル１０８に設定されているものであると判定する。ＵＬＩ要求作成部４１２は、該ＵＥ９００が送信プロファイル１０８に設定されていないものであると判定された場合、終了する。
【００６０】
ステップＳ６０６では、ＵＬＩ要求作成部４１２は、該ＵＥ９００が送信プロファイル１０８に設定されていると判定した場合、セルを識別する情報と、ＵＥ９００を識別する情報と、セルで使用できる周波数帯域幅の閾値を示す情報とを付帯したＵＬＩ要求を作成する。ＵＬＩ要求作成部４１２は、通信部４０２からＭＭＥ１００へ該ＵＬＩ要求を送信する。
【００６１】
ステップＳ６０８−Ｓ６１２では、ＰＣＲＦ４００によって送信されたＵＬＩ要求は、ＰＧＷ３００、ＳＧＷ２００を経由して、ＭＭＥ１００へ送信される。ＭＭＥ１００の通信部１０２は、ＵＬＩ要求を受信する。
【００６２】
ステップＳ６１４では、ＭＭＥ１００の送信プロファイル設定部１１２は、通信部１０２からＵＬＩ要求が入力されると、該ＵＬＩ要求に付帯されるセルを識別する情報と、ＵＥを識別する情報と、セルで使用できる周波数帯域幅の閾値を示す情報を送信プロファイル１０８に設定することによって更新する。
【００６３】
ステップＳ６１６では、ＭＭＥ１００の送信プロファイル設定部１１２は、送信プロファイル１０８を更新すると、更新終了通知を作成する。送信プロファイル設定部１１２は、通信部１０２から更新終了通知を送信する。
【００６４】
ステップＳ６１８−Ｓ６２２では、ＭＭＥ１００によって送信された更新終了通知は、ＳＧＷ２００、ＰＧＷ３００を経由して、ＰＣＲＦ４００へ送信される。ＰＣＲＦ４００の通信部４０２は、更新終了通知を受信する。
【００６５】
これによって、ＰＣＲＦ４００は、ＭＭＥ１００において送信プロファイル１０８が更新されたことを知ることができる。ＰＣＲＦ４００のＵＬＩ要求作成部４１２は、通信部４０２から更新終了通知が入力されると、ＵＬＩ要求を作成する処理を終了する。
【００６６】
ステップＳ６２４では、ＰＣＲＦ４００の制御部４１０は、ＴＳＦ８００へサービスイネイブラーを設定する。
【００６７】
ステップＳ６２６では、ＰＣＲＦ４００の制御部４１０は、ＰＧＷ３００へセッション確立完了通知を送信する。
【００６８】
ＵＥ９００がｅＮＢ８５０にアタッチしたタイミングで、ＰＣＲＦ４００からＭＭＥ１００へＵＬＩ要求を送信することによって、ＵＥ９００がアタッチしたセルで使用できる周波数帯域幅の閾値を設定できる。これによって、該セルに接続したＵＥのうち、該セルで使用できる周波数帯域幅が周波数帯域幅の閾値以上のＵＥの位置情報は、ＭＭＥ１００から送信されないため、ＭＭＥ１００によって送信される該ＵＥの位置情報を減少させることができる。このため、ＰＣＲＦ４００における位置情報を受信することによって生じる処理負荷を低減できる。
【００６９】
＜送信プロファイル１０８を更新する処理（その２）＞
図７は、送信プロファイルを更新する処理（その２）を示す。この例では、ＵＥ９００がｅＮＢ８５０へアタッチした後で、サービスイネイブラー６００を変更するタイミングで、ＭＭＥ１００が送信プロファイル１０８を更新する処理を示す。
【００７０】
ステップＳ７０２では、ＰＣＲＦ４００の通信部４０２は、サービスオーダと、ＵＥを識別する情報とを付帯したサービスオーダ変更要求を受信する。
【００７１】
ステップＳ７０４では、ＰＣＲＦ４００のＵＬＩ要求作成部４１２は、サービスオーダ変更要求に付帯されるＵＥを識別する情報と、該ＵＥが在圏するセルを識別する情報に基づいて、送信プロファイル１０８を変更する必要があるか否かを判定する。具体的には、ＵＬＩ要求作成部４１２は、ＭＭＥ１００に問い合わせることによって、サービスオーダ変更要求に付帯されるＵＥが在圏するセルを識別する情報が送信プロファイル１０８に含まれ、且つ該送信プロファイル１０８において該セルを識別する情報に紐付けられたＵＥを識別する情報と、サービスオーダ変更要求に付帯されるＵＥを識別する情報とが一致するか否かを判定する。
【００７２】
サービスオーダ変更要求に付帯されるＵＥが在圏するセルを識別する情報、およびＵＥを識別する情報の組み合わせが送信プロファイル１０８に含まれる場合には、該ＵＥが送信プロファイル１０８に設定されていると判定する。該ＵＥが送信プロファイル１０８に設定されていないと判定された場合、終了する。
【００７３】
ステップＳ７０６では、ＵＬＩ要求作成部４１２は、送信プロファイル１０８を変更する必要があると判定した場合、セルを識別する情報と、ＵＥ９００を識別する情報と、セルで使用できる周波数帯域幅の閾値を示す情報とを付帯したＵＬＩ要求を作成する。ＵＬＩ要求作成部４１２は、通信部４０２からＭＭＥ１００へＵＬＩ要求を送信する。
【００７４】
ステップＳ７０８−Ｓ７１２では、ＰＣＲＦ４００によって送信されたＵＬＩ要求は、ＰＧＷ３００、ＳＧＷ２００を経由して、ＭＭＥ１００へ送信される。ＭＭＥ１００の通信部１０２は、ＵＬＩ要求を受信する。
【００７５】
ステップＳ７１４では、ＭＭＥ１００の送信プロファイル設定部１１２は、通信部１０２からＵＬＩ要求が入力されると、該ＵＬＩ要求に付帯されるセルを識別する情報と、ＵＥを識別する情報と、セルで使用できる周波数帯域幅の閾値を示す情報を送信プロファイル１０８に設定することによって更新する。
【００７６】
ステップＳ７１６では、ＭＭＥ１００の送信プロファイル設定部１１２は、送信プロファイル１０８を更新すると、更新終了通知を作成する。送信プロファイル設定部１１２は、通信部１０２からＰＣＲＦ４００へ更新終了通知を送信する。
【００７７】
ステップＳ７１８−Ｓ７２２では、ＭＭＥ１００によって送信された更新終了通知は、ＳＧＷ２００、ＰＧＷ３００を経由して、ＰＣＲＦ４００へ送信される。ＰＣＲＦ４００の通信部４０２は、更新終了通知を受信する。これによって、ＰＣＲＦ４００は、ＭＭＥ１００において送信プロファイル１０８が更新されたことを知ることができる。ＰＣＲＦ４００のＵＬＩ要求作成部４１２は、通信部４０２から更新終了通知が入力されると、ＵＬＩ要求を作成する処理を終了する。
【００７８】
ステップＳ７２４では、ＰＣＲＦ４００の制御部４１０は、ＴＳＦ８００へサービスイネイブラー６００を設定する。
【００７９】
サービスイネイブラーを変更するタイミングで、ＰＣＲＦ４００からＭＭＥ１００へＵＬＩ要求を送信することによって、サービスイネイブラーを変更するＵＥが在圏しているセルで使用できる周波数帯域幅の閾値を設定できる。これによって、該セルに接続したＵＥのうち、該セルで使用できる周波数帯域幅が周波数帯域幅の閾値以上のＵＥの位置情報は、ＭＭＥ１００から送信されないため、ＭＭＥ１００によって送信される該ＵＥの位置情報を減少させることができる。このため、ＰＣＲＦ４００における位置情報を受信することによって生じる処理負荷を低減できる。
【００８０】
＜送信プロファイル１０８を更新する処理（その３）＞
図８は、送信プロファイルを更新する処理（その３）を示す。この例では、ＰＣＲＦ４００は、輻輳状況を表す情報に基づいてサービスイネイブラー６００を変更すると判断した場合に、サービスイネイブラー６００を変更するタイミングで、ＭＭＥ１００が送信プロファイルを更新する処理を示す。
【００８１】
ステップＳ８０２では、ＰＣＲＦ４００の通信部４０２は、ＲＣＡＦ５００によって定期的または不定期的に送信される輻輳状況を表す情報を受信する。この輻輳状況を表す情報には、セルを識別する情報と、該セルで使用されている周波数帯域幅を示す情報が含まれる。
【００８２】
ステップＳ８０４では、ＰＣＲＦ４００のＵＬＩ要求作成部４１２は、輻輳状況を表す情報に含まれる、セルを識別する情報によって示されるセルにＵＥが在圏している場合に、該ＵＥが在圏しているセルで使用されている周波数帯域幅を示す情報に基づいて、該周波数帯域幅が所定の閾値以上変化しているか否かを判断する。
【００８３】
ＵＬＩ要求作成部４１２は、該セルで使用されている周波数帯域幅が所定の閾値以上変化していると判断した場合に、該変化によってサービスイネイブラー６００を変更する必要があると判断する。例えば、ＵＬＩ要求作成部４１２は、エンコーディング変換、テキスト圧縮、シェーピング、および広告付加のうち、少なくとも１つを変更する必要があると判断する。
【００８４】
ＵＬＩ要求作成部４１２は、輻輳状況を表す情報に含まれる、セルを識別する情報によって示されるセルにＵＥが在圏していない場合、ＵＥが在圏していても、該ＵＥが在圏しているセルで使用されている周波数帯域幅の変化が所定の閾値未満である場合には、サービスイネイブラー６００を変更する必要がないと判断する。
【００８５】
ステップＳ８０６では、ＵＬＩ要求作成部４１２は、サービスイネイブラー６００を変更する必要があると判断した場合、ＵＬＩ要求を作成する。ＵＬＩ要求作成部４１２は、ＭＭＥ１００へＵＬＩ要求を送信する。
【００８６】
ステップＳ８０８−Ｓ８１２では、ＰＣＲＦ４００によって送信されたＵＬＩ要求は、ＰＧＷ３００、ＳＧＷ２００を経由して、ＭＭＥ１００へ送信される。ＭＭＥ１００の通信部１０２は、ＵＬＩ要求を受信する。
【００８７】
ステップＳ８１４では、ＭＭＥ１００の送信プロファイル設定部１１２は、通信部１０２からＵＬＩ要求が入力されると、該ＵＬＩ要求に付帯されるセルを識別する情報と、ＵＥを識別する情報と、セルで使用できる周波数帯域幅の閾値を示す情報を送信プロファイル１０８に設定することによって更新する。
【００８８】
ステップＳ８１６では、ＭＭＥ１００の送信プロファイル設定部１１２は、送信プロファイル１０８を更新すると、更新終了通知を作成する。送信プロファイル設定部１１２は、通信部１０２からＰＣＲＦ４００へ更新完了通知を送信する。
【００８９】
ステップＳ８１８−Ｓ８２２では、ＭＭＥ１００によって送信された更新終了通知は、ＳＧＷ２００、ＰＧＷ３００を経由して、ＰＣＲＦ４００へ送信される。ＰＣＲＦ４００の通信部４０２は、更新終了通知を受信する。これによって、ＰＣＲＦ４００は、ＭＭＥ１００において送信プロファイル１０８が更新されたことを知ることができる。ＰＣＲＦ４００のＵＬＩ要求作成部４１２は、通信部４０２から更新終了通知が入力されると、ＵＬＩ要求を作成する処理を終了する。
【００９０】
ステップＳ８２４では、ＰＣＲＦ４００の制御部４１０は、ＴＳＦ８００へサービスイネイブラー６００を設定する。
【００９１】
サービスイネイブラーを変更するタイミングで、ＰＣＲＦ４００からＭＭＥ１００へＵＬＩ要求を送信することによって、サービスイネイブラーを変更するセルで使用できる周波数帯域幅の閾値を設定できる。これによって、該セルに接続したＵＥのうち、該セルで使用できる周波数帯域幅が周波数帯域幅の閾値以上のＵＥの位置情報は、ＭＭＥ１００から送信されないため、ＭＭＥ１００によって送信される該ＵＥの位置情報の数を減少させることができる。このため、ＰＣＲＦ４００における位置情報を受信することによって生じる処理負荷を低減できる。
【００９２】
＜送信プロファイル１０８を更新する処理（その４）＞
図９は、送信プロファイルを更新する処理（その４）を示す。この例では、ＭＭＥ１００は、輻輳状況を表す情報に基づいて、送信プロファイル１０８のフラグをオンにするかオフにするかを判定する。
【００９３】
ステップＳ９０２では、ＭＭＥ１００の通信部１０２は、ＲＣＡＦ５００によって定期的または不定期的に送信される輻輳状況を表す情報を受信する。この輻輳状況を表す情報には、セルを識別する情報と、該セルで使用されている周波数帯域幅を示す情報が含まれる。
【００９４】
ステップＳ９０４では、ＭＭＥ１００の送信プロファイル設定部１１２は、輻輳状況を表す情報に含まれるセルで使用されている周波数帯域幅が、送信プロファイル１０８に含まれる周波数帯域幅の閾値以上であるか否かを判定する。
【００９５】
ステップＳ９０６では、ＭＭＥ１００の送信プロファイル設定部１１２は、輻輳状況を表す情報に含まれるセルで使用されている周波数帯域幅が、送信プロファイル１０８に含まれる周波数帯域幅の閾値以上でない場合、つまり使用できる周波数帯域幅が送信プロファイル１０８に含まれる周波数帯域幅の閾値以上である場合、送信プロファイル１０８の該当するセルのフラグをオフにする。
【００９６】
ステップＳ８０８では、ＭＭＥ１００の送信プロファイル設定部１１２は、輻輳状況を表す情報に含まれるセルで使用されている周波数帯域幅が、送信プロファイル１０８に含まれる周波数帯域幅の閾値以上である場合、つまり使用できる周波数帯域幅が、送信プロファイル１０８に含まれる周波数帯域幅の閾値以上でない場合つまり閾値未満である場合、送信プロファイル１０８の該当するセルのフラグをオンにする。
【００９７】
ＲＣＡＦ５００によって送信される輻輳状況を表す情報に基づいて、ＭＭＥ１００が送信プロファイル１０８のフラグを設定することによって、フラグがオフに設定されているセルに接続したＵＥからは位置情報が送信されないため、セルに接続したＵＥによって送信される該ＵＥの位置情報の数を減少させることができるため、ＰＣＲＦ４００における位置情報を受信することによって生じる処理負荷を低減できる。
上述した送信プロファイル１０８を更新する処理（その１）−（その４）は、それぞれ独立して実行されてもよいし、少なくとも２つが組み合わせて実行されてもよい。
【００９８】
＜ＵＬＩ送信する処理＞
図１０は、ＵＬＩを送信する処理を示す。この例では、ＭＭＥ１００は、ｅＮＢ８５０から位置情報が通知された場合に、送信プロファイル１０８に含まれる情報に基づいて、ＵＬＩを送信するか否かを判定する。
【００９９】
ステップＳ１００２では、ＭＭＥ１００の通信部１０２は、ｅＮＢ８５０によって送信される位置情報を受信する。位置情報の例は、アタッチ要求(attach request)、サービス要求(service request)、トラッキングエリアアップデート(Tracking area update)などである。
【０１００】
ステップＳ１００４では、ＭＭＥ１００のＵＬＩ処理部４１４は、送信プロファイル１０８に、ｅＮＢ８５０によって送信された位置情報に含まれるセルを識別する情報が含まれているか否かを判定する。ＵＬＩ処理部４１４は、送信プロファイル１０８に、該セルを識別する情報が含まれていない場合終了する。
【０１０１】
ステップＳ１００６では、ＵＬＩ処理部４１４は、送信プロファイル１０８に、セルを識別する情報が含まれる場合に、該セルを識別する情報に紐付けられたＵＥを識別する情報と、位置情報を送信したＵＥ９００のＵＥを識別する情報とが一致し、且つ該セルを識別する情報に紐付されたフラグがオンに設定されているか否かを判定する。
【０１０２】
ＵＬＩ処理部４１４は、該セルを識別する情報に紐付けられたＵＥを識別する情報と、位置情報を送信したＵＥ９００のＵＥを識別する情報とが一致しない場合、または該セルを識別する情報に紐付されたフラグがオフに設定されている場合には終了する。
【０１０３】
ステップＳ１００８では、ＭＭＥ１００のＵＬＩ処理部４１４は、該セルを識別する情報に紐付けられたＵＥを識別する情報と位置情報を送信したＵＥ９００のＵＥを識別する情報とが一致し、且つ該セルを識別する情報に紐付されたフラグがオンに設定されている場合、通信部１０２からＰＣＲＦ４００へＵＬＩを送信する。
【０１０４】
ステップＳ１０１０−Ｓ１０１４では、ＭＭＥ１００によって送信されたＵＬＩは、ＳＧＷ２００、ＰＧＷ３００を経由して、ＰＣＲＦ４００へ送信される。ＰＣＲＦ４００は、ＭＭＥ１００によって送信されたＵＬＩを受信すると、該ＵＬＩを登録するとともに、所定の処理を行う。
【０１０５】
ＭＭＥ１００の送信プロファイル１０８に、ＭＭＥ１００からＰＣＲＦ４００にＵＬＩを送信するか否かの判定結果を示すフラグを設定することによって、ＭＭＥ１００は、ｅＮＢ８５０から位置情報が通知された場合に、送信プロファイル１０８に含まれる情報に基づいて、ＭＭＥ１００からＰＣＲＦ４００にＵＬＩを送信するか否かを判定できる。つまり、ＭＭＥ１００からＰＣＲＦ４００へＵＬＩレポートを送信するタイミングを設定することができる。
【０１０６】
本実施形態によれば、あるセルで使用できる周波数帯域幅が閾値未満となり、且つ該セルにＵＥが接続した場合に、該ＵＥの位置情報がＭＭＥ１００からＰＣＲＦ４００へ通知される。あるセルで使用できる周波数帯域幅が閾値未満となり、且つ該セルにＵＥが接続した場合には、該ＵＥのトラヒック処理を行うサービスイネイブラーを変更する機会が多いと想定される。つまり、該ＵＥの位置情報に基づいて提供されるサービスを変更することが多いと想定される場合に該ＵＥの位置情報をＭＭＥ１００からＰＣＲＦ４００へ通知し、該ＵＥの位置情報に基づいて提供されるサービスを変更することが少ないと想定される場合に該ＵＥの位置情報をＭＭＥ１００からＰＣＲＦ４００へ通知しない。これによって、ＰＣＲＦがＭＭＥ１００から送信されるＵＬＩを受信することによって生じる負荷を減少させることができる。
【０１０７】
上述した実施形態において、ＰＣＲＦ４００に接続されるＭＭＥ１００は１台に限らず、複数であってもよい。この場合、ＰＣＲＦ４００は、接続される全てのＭＭＥにＵＬＩ要求を送信するようにしてもよいし、複数のＭＭＥのうち送信プロファイルを更新するＭＭＥにＵＬＩ要求を送信するようにしてもよい。
【０１０８】
上述した実施形態において、ユーザ装置は端末装置の一例であり、移動管理サーバは移動管理装置の一例であり、ポリシー管理サーバはポリシー管理装置の一例であり、紐付けることは対応付けることの一例であり、ＵＬＩ要求は位置情報要求の一例である。また、ＲＣＡＦは輻輳管理装置の一例である。
【０１０９】
本発明は特定の実施例、変形例を参照しながら説明されてきたが、各実施例、変形例は単なる例示に過ぎず、当業者は様々な変形例、修正例、代替例、置換例などを理解するであろう。説明の便宜上、本発明の実施例に従った装置は機能的なブロック図を用いて説明されたが、そのような装置はハードウェアで、ソフトウェアでまたはそれらの組み合わせで実現されてもよい。本発明は上記実施例に限定されず、本発明の精神から逸脱することなく、様々な変形例、修正例、代替例、置換例等が包含される。
【符号の説明】
【０１１０】
１００…モビリティマネジメントエンティティ
１０２…通信部
１０４…記憶部
１０６…通信制御プログラム
１０８…送信プロファイル
１１０…制御部
１１２…送信プロファイル設定部
１１４…送信制御部
２００…サービングゲートウェイ
３００…パケットデータネットワークゲートウェイ
４００…ポリシーアンドチャージングルールファンクション
４０２…通信部
４０４…記憶部
４０６…通信制御プログラム
４１０…制御部
４１２…ＵＬＩ要求作成部
４１４…ＵＬＩ処理部
５００…ランコンジェクションアウェアネスファンクション
６００…サービスイネイブラー
７００…インターネット
【図１】
2017092542.tif 000003
【図２】
2017092542.tif 000004
【図３】
2017092542.tif 000005
【図４】
2017092542.tif 000006
【図５】
2017092542.tif 000007
【図６】
2017092542.tif 000008
【図７】
2017092542.tif 000009
【図８】
2017092542.tif 000010
【図９】
2017092542.tif 000011
【図１０】
2017092542.tif 000012